【手続補正書】
【提出日】平成25年8月28日(2013.8.28)
【手続補正１】
【補正対象書類名】特許請求の範囲
【補正対象項目名】全文
【補正方法】変更
【補正の内容】
【特許請求の範囲】
【請求項１】
通信のためのアクティブリアルタイム位置特定・識別無線データトランシーバデバイス（ＷＤＸ）であって、
筺体と、
第１の端部と第２の端部を有する単一の導電性長方形ループを備える可撓性アンテナ要素であって、前記第１の端部が前記導電性長方形ループの両端を終端する１対の接触パッドを備える、可撓性アンテナ要素と、
信号を生成および受信するための通信回路であって、アクティブ送信器を備える、通信回路と、
を備え、
前記デバイスは、高周波伝送によって、リモートトランシーバとの通信を開始すると共に、前記リモートトランシーバからの受信信号に応答し、
前記通信回路は、第１の端部と第２の端部とを有し、前記第１の端部が接触パッドを備え、
前記可撓性アンテナ要素の接触パッドと前記通信回路の接触パッドとの間の電気的相互作用によって、前記通信回路が前記可撓性アンテナ要素と電気通信し、
前記通信回路および前記可撓性アンテナ要素は前記筺体内に収容され、前記可撓性アンテナ要素及び前記通信回路は前記筺体内で直線に沿って配列され、前記通信回路の前記第１の端部は前記可撓性アンテナ要素の前記第１の端部に近接し前記可撓性アンテナ要素の前記第２の端部及び前記通信回路の前記第２の端部は前記通信回路と前記可撓性アンテナ要素との複合アセンブリの重ならない反対側端部に位置し、
前記デバイスは、着用者の近接した身体に適合され、前記適合は、対称ブランチを備える所定の差動平衡出力を含む差動整合回路網であるパイ（π）回路網を形成し、
前記適合は、前記近接した身体と前記デバイスとの間のリアクティブ・ニアフィールド相互作用効果を含むことにより、全体の効率が改善されると共に、通信性能が向上される、デバイス。
【請求項２】
請求項１に記載のデバイスであって、
前記可撓性アンテナ要素の接触パッドと前記通信回路の接触パッドとの間の電気的相互作用による前記通信回路と前記可撓性アンテナ要素との電気通信は、前記通信回路への前記可撓性アンテナ要素の容量結合を含み、これによって、前記可撓性アンテナ要素の屈曲を通して前記ＷＤＸの動作の信頼性が実現される、デバイス。
【請求項３】
請求項２に記載のデバイスであって、
前記容量結合は、前記可撓性アンテナ要素の接触パッドを前記通信回路の接触パッドに固定する接着剤を含み、
前記接着剤は、約０．００５インチ（０．０１３ｃｍ）の厚さを有し、各前記接触パッド間に挟まれ、
前記各接触パッドは、約０．２５インチ（０．６４ｃｍ）の大きさの導電板を備え、これによって、位置ずれにより動作が妨げられないようにする、デバイス。
【請求項４】
請求項１〜３のいずれか１つに記載のデバイスであって、
前記差動整合回路網は２つの対称区画を含み、各前記対称区画は、第１のキャパシタンスと、インダクタンスと、第２のキャパシタンスと、を備え、
前記２つの対称区画の各々に関して、前記第１のキャパシタンスと、前記インダクタンスと、前記第２のキャパシタンスとは、前記通信回路と前記可撓性アンテナ要素との間で電気的に提供され、
前記差動整合回路網は、前記可撓性アンテナ要素のリードにおいて、前記可撓性アンテナ要素と前記近接した身体のインピーダンスを前記デバイスのアクティブ送信器の出力に整合させ、
前記差動整合回路網は、前記デバイスの動作帯域よりも高い遮断周波数を有するローパスフィルタを形成することによって、高調波を抑制する、デバイス。
【請求項５】
請求項４に記載のデバイスであって、
前記第１のキャパシタンスの値は、約３３ピコファラッド（ｐＦ）であり、
前記第２のキャパシタンスの値は、約２２ピコファラッド（ｐＦ）であり、
前記インダクタンスの値は、約１８ナノヘンリ（ｎＨ）であり、
各前記値は、前記近接した身体と前記デバイスとの間の前記リアクティブ・ニアフィールド相互作用に適合する、デバイス。
【請求項６】
請求項４〜５のいずれか１つに記載のデバイスであって、
前記第１のキャパシタンスと前記第２のキャパシタンスの少なくとも１つは、前記通信回路への前記可撓性アンテナ要素の容量結合を含む、デバイス。
【請求項７】
請求項１〜６のいずれか１つに記載のデバイスであって、
前記筺体の構成要素は熱シーム溶接又はＲＦシーム溶接され、
前記デバイスは、襟、裾、バックパックのストラップおよび対象物の内の少なくとも１つに取り付けられ、
前記通信回路と前記可撓性アンテナ要素との複合アセンブリが、前記筺体によって規定されたスロットを通して挿入され、前記通信回路と前記可撓性アンテナ要素との複合アセンブリの前記挿入と前記スロットの密閉とが、着用者の付属器官の周囲に固定された後に実施される、デバイス。
【請求項８】
請求項１〜６のいずれか１つに記載のデバイスであって、
前記筺体の構成要素は熱シーム溶接又はＲＦシーム溶接され、
前記デバイスは、襟、裾、バックパックのストラップおよび対象物の内の少なくとも１つに取り付けられ、
前記通信回路と前記可撓性アンテナ要素との複合アセンブリが、前記筺体によって規定されたスロットを通して挿入され、前記通信回路と前記可撓性アンテナ要素との複合アセンブリの前記挿入と前記スロットの密閉とが、着用者の付属器官の周囲に固定される前に実施される、デバイス。
【請求項９】
請求項１〜８のいずれか１つに記載のデバイスであって、
前記通信回路は、電源およびＲＦ発振器を備え、
前記ＲＦ発振器は、前記電源及び前記通信回路によって電力供給および励起される、デバイス。
【請求項１０】
請求項１〜９のいずれか１つに記載のデバイスであって、
前記通信回路と前記可撓性アンテナ要素とのアセンブリの寸法は、約０．８７インチ（２．２ｃｍ）×約４インチ（１０ｃｍ）である、デバイス。
【請求項１１】
請求項１〜１０のいずれか１つに記載のデバイスであって、
前記デバイスは、２８５ＭＨｚ〜３９９．８ＭＨｚ、４１０ＭＨｚ〜６０７．９ＭＨｚおよび８００ＭＨｚ〜９２８ＭＨｚの周波数帯域の内の少なくとも１つの周波数帯域で動作する、デバイス。
【請求項１２】
請求項１〜１１のいずれか１つに記載のデバイスであって、
前記デバイスは円偏波であり、これによって偏波の減衰が防止される、デバイス。
【請求項１３】
請求項１〜１１のいずれか１つに記載のデバイスであって、
少なくとも１つのバッテリの電力が前記デバイスの動作寿命を決め、
前記少なくとも１つのバッテリの電力を消費した後は、前記デバイスは動作不能になり、廃棄される、デバイス。
【請求項１４】
請求項１〜１３のいずれか１つに記載のデバイスであって、
前記デバイスが約１００オームの差動送信器出力インピーダンスを整合する約３００ＭＨｚから約３４７ＭＨｚの間の周波数の整合回路網を備える、デバイス。
【請求項１５】
請求項１〜１４のいずれか１つに記載のデバイスであって、
前記通信回路は、
前記通信回路に電力供給するための電源と、
前記電源と前記通信回路との間に電気接続された電源スイッチであって、前記デバイスは、前記スイッチが通常の開回路設定から閉回路設定に作動されるまで、電力供給されず動作しない、電源スイッチと、
ＲＦ源を提供するＲＦ発振器であって、集積回路のクロック発振器とは異なる、ＲＦ発振器と、
前記可撓性アンテナ要素とＲＦ通信するＲＦ信号スイッチと、
前記ＲＦ信号スイッチとＲＦ通信するＲＦ受信器と、
前記ＲＦ受信器と通信するＲＦ復調器と、
前記ＲＦ復調器と通信するマイクロプロセッサと、
前記マイクロプロセッサと通信するＲＦ変調器と、
前記ＲＦ変調器とＲＦ通信するＲＦ送信器と、
を備え、
前記ＲＦ送信器は、前記ＲＦ信号スイッチとＲＦ通信する、デバイス。
【請求項１６】
アクティブリアルタイム位置特定・識別無線データトランシーバ（ＷＤＸ）を用いて対象物の位置特定及び識別を行う方法であって、
前記ＷＤＸの回路に情報を格納する工程と、
前記回路を前記ＷＤＸのアンテナ要素と電気的に接続する工程と、
前記ＷＤＸの筺体内に前記回路と前記アンテナ要素とのアセンブリを挿入する工程と、
前記格納された情報に関連付けられる前記対象物に前記筺体を取り付ける工程と、
前記回路内の前記情報にアクセスする工程と、
を備え、
前記ＷＤＸの回路および前記ＷＤＸのアンテナ要素は、アクティブリアルタイム位置特定・識別デバイスを構成し、
前記アンテナ要素は第１の端部と第２の端部とを有する単一の導電性長方形ループを備え、前記第１の端部が前記導電性長方形ループの両端を終端する１対の接触パッドを備え、
前記回路は信号を生成および受信するための通信回路を備え、前記通信回路はアクティブ送信器を備え、
前記デバイスは、高周波伝送によって、リモートトランシーバとの通信を開始すると共に、前記リモートトランシーバからの受信信号に応答し、
前記通信回路は、第１の端部と第２の端部とを有し、前記第１の端部が接触パッドを備え、前記アンテナ要素の接触パッドと前記通信回路の接触パッドとの間の電気的相互作用によって、前記通信回路が前記アンテナ要素と電気通信し、各前記パッドが、位置ずれを調整することによって、前記通信回路を前記アンテナ要素と電気的に接続する工程をアシストし、
前記通信回路および前記アンテナ要素は前記筺体内に収容され、前記アンテナ要素及び前記通信回路は前記筺体内で直線に沿って配列され、前記通信回路の前記第１の端部は前記アンテナ要素の前記第１の端部に近接し、前記アンテナ要素の前記第２の端部及び前記通信回路の前記第２の端部は前記通信回路と前記アンテナ要素とのアセンブリの重ならない反対側端部に位置し、
前記デバイスは、前記対象物の近接した身体に適合され、前記適合は、対称ブランチを備える所定の差動平衡出力を含むパイ（π）回路網を形成し、
前記適合は、前記近接した身体と前記デバイスとの間のリアクティブ・ニアフィールド相互作用効果を含むことにより、全体の効率が改善されると共に、通信性能が向上される、方法。
【請求項１７】
請求項１６に記載の方法であって、
前記識別は、構造内でＲＦ通信によって前記対象物を位置特定する工程を備える、方法。
【請求項１８】
請求項１６〜１７のいずれか１つに記載の方法であって、
前記通信回路および前記可撓性アンテナ要素は容量結合で結合される、方法。
【請求項１９】
回路に接続されたアンテナを備える無線データトランシーバデバイスを用いて電磁信号で動作を実行するための方法であって、
個人に近接するように前記無線データトランシーバデバイスを配置することによって、前記個人に前記無線データトランシーバデバイスを結合する工程を備え、
前記無線データトランシーバデバイスは、前記近接した個人の身体に適合され、
前記適合は、対称ブランチを備える所定の差動平衡出力を有するパイ（π）回路網により整合され、前記近接した身体と前記無線データトランシーバデバイスとの間のリアクティブ・ニアフィールド相互作用を含むことにより、全体の効率が改善され、通信性能が向上され、
前記アンテナは、第１の端部と第２の端部とを有する単一の導電性長方形ループを備え、前記第１の端部が前記導電性長方形ループの両端を終端する１対の接触パッドを備え、
前記回路は、第１の端部と第２の端部とを有し、前記第１の端部が接触パッドを備え、前記アンテナの接触パッドと前記回路の接触パッドとの間の電気的相互作用によって、前記回路が前記アンテナと電気通信し、
前記アンテナおよび前記回路は直線に沿って配列され、前記回路の前記第１の端部は前記アンテナの前記第１の端部に近接し、前記アンテナの前記第２の端部及び前記回路の前記第２の端部は前記回路と前記アンテナとの複合アセンブリの重ならない反対側端部に位置し、
前記方法は、更に、
前記無線データトランシーバデバイスで受信信号を受信する工程と、
前記受信信号を前記無線データトランシーバデバイスの前記アンテナに結合する工程と、
前記アンテナに接続された前記無線データトランシーバデバイスの前記回路によって前記受信信号を受信する工程と、
前記受信信号を前記無線データトランシーバデバイスのプロセッサによってデコードする工程と、
送信データを生成する工程と、
前記無線データトランシーバデバイスの前記回路によって送信信号を生成する工程と、
前記回路に接続された前記アンテナに前記送信信号を結合する工程と、
前記送信信号を送信する工程と、
を備え、
前記無線データトランシーバデバイスは、リモートトランシーバとの通信を開始すると共に、前記リモートトランシーバからの受信信号に応答し、前記無線データトランシーバデバイスは、アクティブリアルタイム位置特定・識別デバイスである、方法。
【請求項２０】
請求項１９に記載の方法であって、
さらに、約２８５ＭＨｚ〜約３９９．８ＭＨｚ、約４１０ＭＨｚ〜約６０７．９ＭＨｚおよび約８００ＭＨｚ〜約９２８ＭＨｚの周波数帯域の内の少なくとも１つの周波数帯域で動作を実行する工程を備える、方法。
【手続補正２】
【補正対象書類名】明細書
【補正対象項目名】発明の名称
【補正方法】変更
【補正の内容】
【発明の名称】結合アンテナを用いたデータトランシーバデバイスおよびその方法
【手続補正３】
【補正対象書類名】明細書
【補正対象項目名】００１０
【補正方法】変更
【補正の内容】
【００１０】
本発明の一形態は、通信のためのアクティブリアルタイム位置特定・識別無線データトランシーバデバイス（ＷＤＸ）であって、
筺体と、
第１の端部と第２の端部を有する単一の導電性長方形ループを備える可撓性アンテナ要素であって、前記第１の端部が前記導電性長方形ループの両端を終端する１対の接触パッドを備える、可撓性アンテナ要素と、
信号を生成および受信するための通信回路であって、アクティブ送信器を備える、通信回路と、
を備え、
前記デバイスは、高周波伝送によって、リモートトランシーバとの通信を開始すると共に、前記リモートトランシーバからの受信信号に応答し、
前記通信回路は、第１の端部と第２の端部とを有し、前記第１の端部が接触パッドを備え、
前記可撓性アンテナ要素の接触パッドと前記通信回路の接触パッドとの間の電気的相互作用によって、前記通信回路が前記可撓性アンテナ要素と電気通信し、
前記通信回路および前記可撓性アンテナ要素は前記筺体内に収容され、前記可撓性アンテナ要素及び前記通信回路は前記筺体内で直線に沿って配列され、前記通信回路の前記第１の端部は前記可撓性アンテナ要素の前記第１の端部に近接し前記可撓性アンテナ要素の前記第２の端部及び前記通信回路の前記第２の端部は前記通信回路と前記可撓性アンテナ要素との複合アセンブリの重ならない反対側端部に位置し、
前記デバイスは、着用者の近接した身体に適合され、前記適合は、対称ブランチを備える所定の差動平衡出力を含む差動整合回路網であるパイ（π）回路網を形成し、
前記適合は、前記近接した身体と前記デバイスとの間のリアクティブ・ニアフィールド相互作用効果を含むことにより、全体の効率が改善されると共に、通信性能が向上される、デバイスである。
一実施形態は、通信のためのデバイスを提供しており、そのデバイスは、筐体と、可撓性アンテナ要素と、信号を生成および受信するための通信回路と、を備え、通信回路は前記アンテナ要素と電気通信し、通信回路およびアンテナ要素は前記筐体内に配置され、デバイスはアクティブリアルタイム位置特定・識別デバイスである。さらなる実施形態では、アンテナ要素および通信回路の電気通信は、アンテナと回路との容量結合を含んでおり、容量結合は、接着剤がアンテナ要素を前記回路に固定することを含む。別の実施形態では、デバイスが、着用者の近接した身体に適合されることよって、通信性能が高められる。さらなる実施形態では、筐体は可撓性である；筐体の構成要素がシーム溶接されることによって、デバイスのサイズが縮小される；もしくは、筐体の構成要素がＲＦシーム溶接される。任意選択的に、筐体の構成要素は、熱シーム溶接される。実施形態において、回路は、電源およびＲＦ発振器を備える。さらなる別の実施形態では、デバイスは、襟、裾、バックパックのストラップ、および、対象物の内の少なくとも１つに取り付けられ；デバイスは使い捨てである。いくつかの実施形態では、回路およびアンテナのアセンブリが、筐体によって規定されたスロットを通して挿入され、スロットは、着用者の付属器官の周りに固定されると密閉される。別の実施形態では、回路およびアンテナのアセンブリは、筐体によって規定されたスロットを通して挿入され、スロットは、着用者の付属器官の周りに固定される前に密閉される。さらに別の実施形態では、回路およびアンテナのアセンブリは、筐体の構成要素をシーム溶接する前に、筐体によって規定されたスロットを通して挿入される。さらに、いくつかの実施形態において、通信回路は、非可撓性の回路基板を備え；通信回路の回路基板と同一平面上に少なくとも１つのバッテリを備える。別の実施形態は、少なくとも１つの同一平面上のバッテリを保持するクリップを備えており、それによってデバイスの厚さが削減される。さらに、別の実施形態では、デバイスの色が選択可能である。別の実施形態では、デバイスは、約１００オームの差動送信器出力インピーダンスを整合する約３１５ＭＨｚの整合回路網を備える。
【手続補正４】
【補正対象書類名】明細書
【補正対象項目名】００１３
【補正方法】変更
【補正の内容】
【００１３】
本発明は、以下の適用例としても実現可能である。
［適用例１］
通信のためのデバイスであって、
筐体と、
可撓性アンテナ要素と、
信号を生成および受信するための通信回路と、
を備え、
前記通信回路は前記アンテナ要素と電気通信し、前記通信回路および前記アンテナ要素は前記筐体内に配置され、前記デバイスはアクティブリアルタイム位置特定・識別デバイスである、デバイス。
［適用例２］
適用例１に記載のデバイスであって、前記アンテナ要素および前記通信回路の前記電気通信は、前記回路への前記アンテナの容量結合を含む、デバイス。
［適用例３］
適用例２に記載のデバイスであって、前記容量結合は、前記アンテナ要素を前記回路に固定する接着剤を含む、デバイス。
［適用例４］
適用例１に記載のデバイスであって、前記デバイスが、着用者の近接した身体に適合されることよって、通信性能が高められる、デバイス。
［適用例５］
適用例１に記載のデバイスであって、前記筐体は可撓性である、デバイス。
［適用例６］
適用例１に記載のデバイスであって、前記筐体の構成要素がシーム溶接されていることによってデバイスサイズが縮小されている、デバイス。
［適用例７］
適用例１に記載のデバイスであって、前記筐体の構成要素はＲＦシーム溶接されている、デバイス。
［適用例８］
適用例１に記載のデバイスであって、前記筐体の構成要素は熱シーム溶接されている、デバイス。
［適用例９］
適用例１に記載のデバイスであって、前記回路は、電源およびＲＦ発振器を備える、デバイス。
［適用例１０］
適用例１に記載のデバイスであって、前記デバイスは、襟、裾、バックパックのストラップ、および、対象物の内の少なくとも１つに取り付けられる、デバイス。
［適用例１１］
適用例１に記載のデバイスであって、前記デバイスは使い捨てである、デバイス。
［適用例１２］
適用例１のデバイスであって、前記回路および前記アンテナのアセンブリが、前記筐体によって規定されたスロットを通して挿入され、前記スロットは、着用者の付属器官の周りに固定されると密閉される、デバイス。
［適用例１３］
適用例１のデバイスであって、前記回路および前記アンテナのアセンブリが、前記筐体によって規定されたスロットを通して挿入され、前記スロットは、着用者の付属器官の周りに固定される前に密閉される、デバイス。
［適用例１４］
適用例１のデバイスであって、前記筐体の構成要素をシーム溶接する前に、前記回路および前記アンテナのアセンブリが、前記筐体によって規定されたスロットを通して挿入される、デバイス。
［適用例１５］
適用例１に記載のデバイスであって、前記通信回路は、非可撓性の回路基板を備える、デバイス。
［適用例１６］
適用例１に記載のデバイスであって、前記通信回路の回路基板と同一平面上に少なくとも１つのバッテリを備える、デバイス。
［適用例１７］
適用例１５に記載のデバイスであって、前記少なくとも１つの同一平面上のバッテリを保持するクリップを備え、それによって前記デバイスの厚さが削減されている、デバイス。
［適用例１８］
適用例１に記載のデバイスであって、前記デバイスの色が選択可能である、デバイス。
［適用例１９］
適用例１７に記載のデバイスであって、約１００オームの差動送信器出力インピーダンスを整合する約３１５ＭＨｚの整合回路網を備える、デバイス。
［適用例２０］
対象物を識別する方法であって、
回路に情報を格納する工程と、
前記回路をアンテナ要素と電気的に接続する工程と、
筐体内に前記回路および前記アンテナのアセンブリを挿入する工程と、
前記格納された情報に関連付けられる前記対象物に前記筐体を取り付ける工程と、
前記回路内の前記情報にアクセスする工程と、
を備える、方法。
［適用例２１］
適用例２０に記載の方法であって、前記筐体は、前記筐体を前記対象物に取り付けるための手段と、前記アセンブリを保持するための手段とを備え、前記保持手段は、内部に開口部を規定する弾性本体部分と、前記開口部に隣接する保持リップとを備え、前記開口部は、前記アセンブリを前記本体部分に挿入することができるよう変形可能であり、前記保持リップは、前記本体部分の中に前記アセンブリを保持することを支援し、前記アセンブリ保持手段は、前記取り付け手段と関連付けられている、方法。
［適用例２２］
適用例２０に記載の方法であって、さらに、ＲＦ通信によって前記対象物を位置特定する工程を備える、方法。
［適用例２３］
適用例２０に記載の方法であって、タブを除去することによってデバイスが起動される、方法。
［適用例２４］
回路に接続されたアンテナを備えるデバイスを用いて電磁信号で動作を実行するための方法であって、
個人に近接するように前記デバイスを配置する工程と、
近接によって前記個人に前記デバイスを結合する工程と、
受信信号を受信する工程と、
前記受信信号を前記アンテナに結合する工程と、
前記アンテナに接続された前記回路によって前記受信信号を受信する工程と、
前記受信した信号をプロセッサによってデコードする工程と、
送信データを生成する工程と、
送信信号を前記回路によって生成する工程と、
前記回路に接続された前記アンテナに前記送信信号を結合する工程と、
前記送信信号を送信する工程と、
を備える、方法。
［適用例２５］
適用例２４に記載の方法であって、前記回路および前記アンテナは容量結合で結合される、方法。
本明細書に記載された特徴および利点はすべてを包含しているわけではなく、特に、図面、明細書、および、特許請求の範囲を鑑みれば、多くのさらなる特徴および利点が当業者にとって明らかになる。本明細書で用いられている言語は、主に読みやすさと教示を目的として選択されたものであり、本発明の主題の範囲を限定しない。
【手続補正５】
【補正対象書類名】図面
【補正対象項目名】全図
【補正方法】変更
【補正の内容】
【図１】
2013047969.tif 000001
【図２】
2013047969.tif 000002
【図３】
2013047969.tif 000003
【図４】
2013047969.tif 000004
【図５】
2013047969.tif 000005
【図６Ａ】
2013047969.tif 000006
【図６Ｂ】
2013047969.tif 000007
【図７】
2013047969.tif 000008
【図８】
2013047969.tif 000009
【図９】
2013047969.tif 000010
【図１０Ａ】
2013047969.tif 000011
【図１０Ｂ】
2013047969.tif 000012
【図１０Ｃ】
2013047969.tif 000013
【図１０Ｄ】
2013047969.tif 000014
【図１０Ｅ】
2013047969.tif 000015